(57)【要約】【課題】本発明は、極めて商品価値の高い画期的なエアコン室外機の据付装置を提供することを目的とする。【解決手段】エアコン室外機１を建築物２の壁部２ａに据え付けるためのものであって、前記建築物２の壁部２ａに設置される設置体３と、この設置体３の正面位置に連結され、上部にエアコン室外機１を載置し得る載置体４とで構成されており、この載置体４の基端部に板状部５を設けるとともに、この板状部５を嵌挿係止し得るスリット状の係止孔６を前記設置体３に設け、この係止孔６に嵌挿させた前記載置体４の板状部５に重合状態となる重合部７を前記設置体３に設けて、この板状部５と重合部７との重合部位に棒材８を嵌挿させることで設置体３に対して載置体４を抜け止め連結し得るように構成されたものである。【選択図】　　　　図１
2004060963.tif 000002
【特許請求の範囲】
【請求項１】
エアコン室外機を建築物の壁部に据え付けるためのものであって、前記建築物の壁部に設置される設置体と、この設置体の正面位置に連結され、上部にエアコン室外機を載置し得る載置体とで構成されており、この載置体の基端部に板状部を設けるとともに、この板状部を嵌挿係止し得るスリット状の係止孔を前記設置体に設け、この係止孔に嵌挿させた前記載置体の板状部に重合状態となる重合部を前記設置体に設けて、この板状部と重合部との重合部位に棒材を嵌挿させることで設置体に対して載置体を抜け止め連結し得るように構成されていることを特徴とするエアコン室外機の据付装置。
【請求項２】
前記設置体及び前記載置体を、正面板部と左右側面板部とを有する断面コ字状若しくは断面ロ字状の長尺角材で構成し、前記載置体の左右側面板部夫々の基端部に板状部を設けるとともに、この板状部を嵌挿係止し得るスリット状の係止孔を前記設置体の正面板部に設け、この係止孔に前記板状部を嵌挿させた際、前記設置体の左右側面板部が前記載置体の板状部に重合する重合部となるように設けて、この板状部と重合部との重合部位に棒材を嵌挿させることで設置体に対して載置体を抜け止め連結し得るように構成されていることを特徴とする請求項１記載のエアコン室外機の据付装置。
【請求項３】
前記載置体の板状部を前記設置体の係止孔に嵌挿係止させた際、前記載置体の板状部に設けた前記棒材を嵌挿する棒材嵌挿孔に合致する棒材嵌挿孔を前記設置体の重合部に設けたことを特徴とする請求項１，２のいずれか１項に記載のエアコン室外機の据付装置。
【請求項４】
前記設置体は、建築物の壁部に固定される固定部材を介して前記壁部に吊り下げ状態に設置されるように構成され、この設置体の背面側に建築物の壁部に当接する当接部を突没自在に設けたことを特徴とする請求項１〜３のいずれか１項に記載のエアコン室外機の据付装置。
【請求項５】
前記載置体の上部にしてエアコン室外機の足部を受ける受け体を絶縁部材で構成したことを特徴とする請求項１〜４のいずれか１項に記載のエアコン室外機の据付装置。
【発明の詳細な説明】
【０００１】
【発明の属する技術分野】
本発明は、エアコン室外機の据付装置に関するものである。
【０００２】
【従来の技術及び発明が解決しようとする課題】
従来から、エアコン室外機を建築物の壁部に据え付けるためのエアコン室外機の据付装置が種々提案されている。
【０００３】
例えば、建築物の壁部に設置される設置部と、エアコン室外機を載置する載置部とをＬ字状に一体成形したタイプのものが提案されているが、その形状故に非常にかさばってしまい、梱包や持ち運びに不便であり、しかも、建築物の壁部への据付作業に際し、例えば設置部を建築物の壁部にボルト止めする際に載置部が邪魔となったり、全重量を支えながらのボルト止めとなる為、作業性が悪い（エアコン室外機は、例えば地面や屋根面から浮かせた状態で設置される場合が多い。）。
【０００４】
そこで、これらの問題点を解決すべく、例えば実公昭５８−５３５１０号にも開示されるように、設置部と載置部とを別体とした分割タイプのものが提案されている。
【０００５】
この分割タイプであれば、コンパクトに梱包することができて持ち運びに便利であり、しかも、前述した一体タイプのものに比し、建築物の壁部に設置体を取り付ける作業と、この設置体に載置体を連結する作業とが簡易且つ迅速に行えることから作業性が良いとされる。
【０００６】
ところで、この従来から提案される分割タイプにおける設置体と載置体との連結構造は、設置体の下端部に設けた突出片と、載置体の基端部に設けた突出片とを重合状態とし、この重合部位にボルトを嵌挿させることで連結するものであるが、その構造上、載置体の上部に載置されたエアコン室外機の重量は専らボルトで支える構造である為、設置体と載置体との連結強度は弱く、しかも、実際に設置体に対して載置体を連結する際、設置体及び載置体双方の突出片に形成されるボルト嵌挿孔同士が合致するように載置体を支えながらボルトを嵌挿させて止着しなければならない構造である為、作業性の面でも未だ不十分とされる。
【０００７】
本出願人は、上述の問題点に着目し、極めて商品価値の高い画期的なエアコン室外機の据付装置を開発した。
【０００８】
【課題を解決するための手段】
添付図面を参照して本発明の要旨を説明する。
【０００９】
エアコン室外機１を建築物２の壁部２ａに据え付けるためのものであって、前記建築物２の壁部２ａに設置される設置体３と、この設置体３の正面位置に連結され、上部にエアコン室外機１を載置し得る載置体４とで構成されており、この載置体４の基端部に板状部５を設けるとともに、この板状部５を嵌挿係止し得るスリット状の係止孔６を前記設置体３に設け、この係止孔６に嵌挿させた前記載置体４の板状部５に重合状態となる重合部７を前記設置体３に設けて、この板状部５と重合部７との重合部位に棒材８を嵌挿させることで設置体３に対して載置体４を抜け止め連結し得るように構成されていることを特徴とするエアコン室外機の据付装置に係るものである。
【００１０】
また、前記設置体３及び前記載置体４を、正面板部と左右側面板部とを有する断面コ字状若しくは断面ロ字状の長尺角材で構成し、前記載置体４の左右側面板部夫々の基端部に板状部５を設けるとともに、この板状部５を嵌挿係止し得るスリット状の係止孔６を前記設置体３の正面板部に設け、この係止孔６に前記板状部５を嵌挿させた際、前記設置体３の左右側面板部が前記載置体４の板状部５に重合する重合部７となるように設けて、この板状部５と重合部７との重合部位に棒材８を嵌挿させることで設置体３に対して載置体４を抜け止め連結し得るように構成されていることを特徴とする請求項１記載のエアコン室外機の据付装置に係るものである。
【００１１】
また、前記載置体４の板状部５を前記設置体３の係止孔６に嵌挿係止させた際、前記載置体４の板状部５に設けた前記棒材８を嵌挿する棒材嵌挿孔５ａに合致する棒材嵌挿孔７ａを前記設置体３の重合部７に設けたことを特徴とする請求項１，２のいずれか１項に記載のエアコン室外機の据付装置に係るものである。
【００１２】
また、前記設置体３は、建築物２の壁部２ａに固定される固定部材９を介して前記壁部２ａに吊り下げ状態に設置されるように構成され、この設置体３の背面側に建築物２の壁部２ａに当接する当接部１０を突没自在に設けたことを特徴とする請求項１〜３のいずれか１項に記載のエアコン室外機の据付装置に係るものである。
【００１３】
また、前記載置体４の上部にしてエアコン室外機１の足部１ａを受ける受け体１１を絶縁部材で構成したことを特徴とする請求項１〜４のいずれか１項に記載のエアコン室外機の据付装置に係るものである。
【００１４】
【発明の実施の形態】
好適と考える本発明の実施の形態（発明をどのように実施するか）を、図面に基づいてその作用効果を示して簡単に説明する。
【００１５】
本発明は、エアコン室外機１の据付作業に際し、例えば建築物２の壁部２ａに設置体３を設置し、この設置体３の正面位置に載置体４を連結する。
【００１６】
この設置体３に対する載置体４の連結に際し、載置体４に設けた板状部５を設置体３に設けたスリット状の係止孔６に嵌挿係止すると、この係止孔６に嵌挿させた板状部５と前記設置体３に設けた重合部７とが重合状態となり、この重合部位に棒材８を嵌挿させることで、設置体３に対して載置体４は抜け止め連結される。
【００１７】
その後、この載置体４の上部にエアコン室外機１を載置固定して据付作業は完了する。
【００１８】
従って、設置体３と載置体４との分割構造である為、コンパクトに梱包することができて持ち運びに便利であるのは勿論、この設置体３に対する載置体４の連結が、載置体４の板状部５が設置体３の係止孔６に嵌挿係止され、更に、板状部５と重合部７との重合部位で棒材８を嵌挿することで抜け止め連結されることになるから、つまり、載置体４の上部に載置されたエアコン室外機１の重量を分散して支える連結構造であり、よって、設置体３と載置体４との連結構造における連結強度が飛躍的に向上することになり、しかも、板状部５を係止孔６に嵌挿係止することで仮止めした状態で棒材８を嵌挿できるから、設置体３と載置体４との連結が極めて簡易且つ迅速に行えることになり、エアコン室外機１の据付作業の作業性が飛躍的に向上することになる。
【００１９】
また、設置体３及び載置体４を、正面板部と左右側面板部とを有する断面コ字状若しくは断面ロ字状の長尺角材で構成し、前記載置体４の左右側面板部夫々の基端部に板状部５を設けるとともに、この板状部５を嵌挿係止し得るスリット状の係止孔６を前記設置体３の正面板部に設け、この係止孔６に前記板状部５を嵌挿させた際、前記設置体３の左右側面板部が前記載置体４の板状部５に重合する重合部７となるように設けて、この板状部５と重合部７との重合部位に棒材８を嵌挿させることで設置体３に対して載置体４を抜け止め連結し得るように構成した場合には、エアコン室外機１を据え付ける装置自体が軽量構造であり、しかも、板状の構造でありながら堅固な連結が達成されることになる。
【００２０】
また、載置体４の板状部５を設置体３の係止孔６に嵌挿係止させた際、載置体４の板状部５に設けた棒材８を嵌挿する棒材嵌挿孔５ａに合致する棒材嵌挿孔７ａを設置体３の重合部７に設けた場合には、板状部５を嵌挿する係止孔６が棒材嵌挿孔５ａ，７ａ同士が合致するまでのガイドとなるなど、より一層作業性が向上することになる。
【００２１】
また、設置体３は、建築物２の壁部２ａに固定される固定部材９を介して前記壁部２ａに吊り下げ状態に取り付けられるように構成され、この設置体３の背面側に建築物２の壁部２ａに当接する当接部１０を突没自在に設けた場合には、突没する当接部１０の存在により、確実に建築部２の壁部２ａに当接させることで設置体３を所望の状態に支持して良好な据付状態が得られることになる。
【００２２】
また、載置体４の上部にしてエアコン室外機１の足部１ａを受ける受け体１１を絶縁部材で構成した場合には、漏電事故などの不測の事故を防止し得ることになる。
【００２３】
【実施例】
本発明の具体的な実施例について図面に基づいて説明する。
【００２４】
符号１はエアコン室外機、２ａは建築物２の壁部である。
【００２５】
本実施例は、エアコン室外機１を建築物２の壁部２ａに据え付けるためのものであって、建築物２の壁部２ａに縦方向に設置される一対の設置体３と、この各設置体３の正面位置に突き合せ状態にして直交状態で連結され、上部にエアコン室外機１を載置し得る一対の載置体４とで構成されており、この載置体４の基端部に板状部５を設けるとともに、この板状部５を嵌挿係止し得るスリット状の係止孔６を設置体３に設け、この係止孔６に嵌挿させた載置体４の板状部５に重合状態となる重合部７を設置体３に設けて、この板状部５と重合部７との重合部位に棒材８を嵌挿させることで設置体３に対して載置体４を抜け止め連結し得るように構成したものである。
【００２６】
具体的には、設置体３は、図１，３に図示したように適宜な金属製の部材で形成したものであり、正面板部３ａと左右側面板部３ｂ，３ｃとからなる断面コ字状（チャンネル状）の長尺角材で構成されている。尚、設置体３としては、断面ロ字状の長尺角材（角筒材）で構成しても良い。
【００２７】
また、設置体３は、その正面板部３ａの下方位置にして左右位置に一対のスリット状の孔が形成されており、この孔は後述する載置体４の板状部５を嵌挿係止する係止孔６として構成されている。
【００２８】
また、設置体３は、その左右側面板部３ｂ，３ｃの下方部位が前記係止孔６に嵌挿させた載置体４の板状部５が重合状態となる重合部７として構成されており、この重合部７の上下位置には棒材８（ボルト）を嵌挿する２個の棒材嵌挿孔７ａが形成されている。
【００２９】
また、設置体３は、その正面板部３ａにして左右の係止孔６よりも上方位置に孔１２が形成されており、この孔１２は、載置体４の正面板部４ａの基端部に突設される鉤状の係止片１３が係止し得るように構成されている。
【００３０】
従って、この設置体３に対して載置体４は、突板部５を係止孔６に嵌挿係止するとともに、係止片１３を孔１２に係止することで堅固に連結されることになる。
【００３１】
また、設置体３は、後述する固定部材９を介して建築物２の壁部２ａに吊り下げ状態で取り付けられ、この設置体３の上端部には固定部材９への連結部が設けられている。
【００３２】
具体的には、設置体３は、その上端部にして左右側面板部３ｂ，３ｃに鉤状部３ｂ’，３ｃ’が形成され、且つ、正面板部３ａに止着ボルト１４を嵌挿止着するための止着孔３ａ’が形成されており、この鉤状部３ｂ’，３ｃ’を係止するとともに止着孔３ａ’に止着ボルト１４を嵌挿させることで、固定部材９に対して設置体３が連結されるように構成されている。
【００３３】
また、固定部材９は、図１に図示したように適宜な金属製の部材を断面コ字状に形成したものであり、その後方立ち上がり片９ｂの中央位置及び左右位置に３つの孔９ｂ’が形成されており、この孔９ｂ’は建築物２の壁部２ａへ止着ボルト１５を介して止着する際の止着部として構成されている。
【００３４】
また、固定部材９は、その前方立ち上がり片９ａの左右位置に夫々３つの孔９ａ’が並設状態に形成されており、この孔９ａ’は設置体３を止着ボルト１４を介して止着する際の止着部として構成されている。
【００３５】
従って、左右の設置体３を固定部材９の任意の位置（孔９ａ’）に連結することで、この設置体３同士の間隔をエアコン室外機１の幅寸法に合うように調節することができる。
【００３６】
また、設置体３は、その背面側下方位置に螺子体１０が突没自在に螺着されており、この螺子体１０は、建築物２の壁部２ａに当接する当接部１０として構成されている。
【００３７】
載置体４は、図１，３に図示したように適宜な金属製の部材で形成したものであり、正面板部４と左右側面板部４ｂ，４ｃとからなる断面コ字状（チャンネル状）の長尺角材（角筒材）で構成されている。尚、載置体４としては、断面ロ字状の長尺角材で構成しても良い。
【００３８】
また、載置体４は、その左右側面板部４ｂ，４ｃの基端部夫々に突板部５が形成されており、この突板部５は前述した設置体３の係止孔６に嵌挿係止し得るように構成されている。
【００３９】
また、突板部５は、前記係止孔６に嵌挿させた際、取付体３の重合部７と重合状態となるように構成されており、この突板部５の上下位置には重合部７に設けた棒材嵌挿孔７と合致する棒材嵌挿孔５ａが２個形成されている。
【００４０】
また、載置体４は、その正面板部４ａの基端部に前述した設置体３の孔１２に係止する係止片１２が突出形成されている。
【００４１】
また、載置体４は、その正面板部４ａの前後位置に長孔１６が形成されており、この長孔１６にはエアコン室外機１の足部１ａを受ける受け体１１を配設し得るように構成されている。
【００４２】
この受け体１１は、絶縁部材で構成されており、よって、漏電事故などの不測の事故を防止し得ることになる。
【００４３】
本実施例は上述のように構成したから、エアコン室外機１の据付作業に際し、建築物２の壁部２ａに略水平状態で固定された固定部材９に設置体３を連結し、この設置体３の正面位置に載置体４を連結する。
【００４４】
この設置体３に対する載置体４の連結に際し、載置体４に設けた板状部５を設置体３に設けたスリット状の係止孔６に嵌挿係止すると、この係止孔６に嵌挿させた板状部５と前記設置体３に設けた重合部７とが重合状態となり、この重合部位に棒材８（ボルト）を嵌挿させてナットを止着することで、設置体３に対して載置体４は抜け止め連結される。
【００４５】
その後、この載置体４の上部にエアコン室外機１を載置固定して据付作業は完了する。
【００４６】
よって、本実施例によれば、設置体３と載置体４との分割構造である為、コンパクトに梱包することができて持ち運びに便利であるのは勿論、この設置体３に対する載置体４の連結が、載置体４の板状部５が設置体３の係止孔６に嵌挿係止され、更に、板状部５と重合部７との重合部位で棒材８を嵌挿することで抜け止め連結されることになるから、つまり、載置体４の上部に載置されたエアコン室外機１の重量を分散して支える連結構造であり、よって、設置体３と載置体４との連結構造における連結強度が飛躍的に向上することになり、しかも、板状部５を係止孔６に嵌挿係止することで仮止めした状態で棒材８を嵌挿できるから、設置体３と載置体４との連結が極めて簡易且つ迅速に行えることになり、エアコン室外機１の据付作業の作業性が飛躍的に向上することになる。
【００４７】
また、本実施例は、設置体３及び載置体４を、正面板部と左右側面板部とを有する断面コ字状若しくは断面ロ字状の長尺角材で構成したから、エアコン室外機１を据え付ける装置自体が軽量構造であり、しかも、板状の構造でありながら堅固な連結が達成されることになる。
【００４８】
また、本実施例は、載置体４の板状部５を設置体３の係止孔６に嵌挿係止させた際、載置体４の板状部５に設けた棒材８を嵌挿する棒材嵌挿孔５ａに合致する棒材嵌挿孔７ａを設置体３の重合部７に設けたから、板状部５を嵌挿する係止孔６が棒材嵌挿孔５ａ，７ａ同士が合致するまでのガイドとなるなど、より一層作業性が向上することになる。
【００４９】
また、本実施例は、設置体３は、建築物２の壁部２ａに固定される固定部材９を介して前記壁部２ａに吊り下げ状態に取り付けられるように構成され、この設置体３の背面側に建築物２の壁部２ａに当接する当接部１０を突没自在に設けたから、突没する当接部１０の存在により、確実に建築部２の壁部２ａに当接させることで設置体３を所望の状態に支持して良好な据付状態が得られることになる（図６参照）。
【００５０】
また、本実施例は、載置体４の上部にしてエアコン室外機１の足部１ａを受ける受け体１１を絶縁部材で構成したから、漏電事故などの不測の事故を防止し得ることになる。
【００５１】
尚、本発明は、本実施例に限られるものではなく、各構成要件の具体的構成は適宜設計し得るものである。
【００５２】
【発明の効果】
本発明は上述のように構成したから、コンパクトに梱包することができて持ち運びに便利であるのは勿論、この設置体に対する載置体の連結強度が飛躍的に向上することになり、しかも、この設置体と載置体との連結が極めて簡易且つ迅速に行えることになり、エアコン室外機の据付作業の作業性が飛躍的に向上することになるなど極めて商品価値の高い画期的なエアコン室外機の据付装置となる。
【００５３】
また、請求項２記載の発明においては、エアコン室外機を据え付ける装置自体が軽量構造であり、しかも、堅固な連結が達成されることになるなど極めて商品価値の高い画期的なエアコン室外機の据付装置となる。
【００５４】
また、請求項３記載の発明においては、より一層設置体と載置体との連結作業性が向上することになるなど極めて商品価値の高い画期的なエアコン室外機の据付装置となる。
【００５５】
また、請求項４記載の発明においては、設置体を所望の状態に支持して良好な据付状態が得られることになるなど極めて商品価値の高い画期的なエアコン室外機の据付装置となる。
【００５６】
また、請求項５記載の発明においては、漏電事故などの不測の事故を防止し得ることになるなど極めて商品価値の高い画期的なエアコン室外機の据付装置となる。
【図面の簡単な説明】
【図１】本実施例を示す斜視図である。
【図２】本実施例に係る要部の分解斜視図である。
【図３】本実施例に係る要部の分解斜視図である。
【図４】本実施例に係る要部の説明分解斜視図である。
【図５】本実施例を示す平面図である。
【図６】本実施例の概略動作説明図である。
【図７】本実施例に係る要部の説明断面図である。
【図８】本実施例に係る要部の説明斜視図である。
【図９】本実施例に係る要部の説明斜視図である。
【図１０】本実施例の使用状態説明図である。
【符号の説明】
１　エアコン室外機
２　建築物
２ａ　壁部
３　設置体
４　載置体
５　板状部
５ａ　棒材嵌挿孔
６　係止孔
７　重合部
７ａ　棒材嵌挿孔
８　棒材
９　固定部材
１０　当接部
１１　受け体
【図１】
2004060963.tif 000003
【図２】
2004060963.tif 000004
【図３】
2004060963.tif 000005
【図４】
2004060963.tif 000006
【図５】
2004060963.tif 000007
【図６】
2004060963.tif 000008
【図７】
2004060963.tif 000009
【図８】
2004060963.tif 000010
【図９】
2004060963.tif 000011
【図１０】
2004060963.tif 000012